(57)【要約】【課題】跳水等の弊害を発生させることなく、かつ煩雑な清掃等の保守管理を必要とすることなく、塵芥の捕捉による水路の閉塞防止および小動物等の侵入防止を実現可能なグレーチングスクリーンおよびグレーチングスクリーンの取付方法を提供する。【解決手段】所定間隔で並列に配列された複数の縦桟部材１４と、複数の縦桟部材１４の配列方向に沿って延長形成されて複数の縦桟部材１４を固定する横桟部材１５と、縦桟部材１４と横桟部材１５とを有するグレーチングスクリーン本体１０ａをたて排水溝１０５に固定させる取付フィン１６とを備えるグレーチングスクリーン１０に関する。縦桟部材１４は、法面１０１ａに沿って傾斜したたて排水溝１０５の底部平坦部１０５ｂに接する先端部１４ｂを有し、横桟部材１５は、先端部１４ｂから所定の位置以降に設けられた。【選択図】図４
2014190130.tif 000002
【特許請求の範囲】
【請求項１】
所定間隔で並列に配列された複数の長尺部材と、
複数の前記長尺部材の配列方向に沿って延長形成されて複数の前記長尺部材を固定する固定部材と、
前記長尺部材と前記固定部材とを有するグレーチングスクリーン本体を排水溝に固定させる取付部材と、
を備え、
前記長尺部材は、法面に沿って傾斜した前記排水溝の底面部に接する先端部を有し、
前記固定部材は、前記先端部から所定の位置以降に設けられ、
前記グレーチングスクリーン本体が前記排水溝に固定される場合に、前記グレーチングスクリーン本体が水平または水平から所定角度上向きの角度となるように、前記取付部材は、傾けられて前記グレーチングスクリーン本体に設けられた、
ことを特徴とするグレーチングスクリーン。
【請求項２】
請求項１記載のグレーチングスクリーンにおいて、
前記グレーチングスクリーン本体が側面視されたときに、前記先端部は鋭角に形成されて、前記先端部に、傾斜した前記排水溝の前記底面部に接する傾斜面部が設けられたことを特徴とするグレーチングスクリーン。
【請求項３】
請求項１又は２記載のグレーチングスクリーンにおいて、
前記グレーチングスクリーン本体が前記排水溝に固定される場合に、少なくとも前記先端部の傾斜面部の上側が傾斜した前記排水溝の前記底面部に接することを特徴とするグレーチングスクリーン。
【請求項４】
請求項１乃至３の何れか１項に記載のグレーチングスクリーンにおいて、
前記排水溝の傾斜角度をθ２と定め、
前記排水溝における推定水深をＤｗと定め、
前記先端部から前記所定の位置までの長さとされる浸漬長をＬｍａｘと定め、
前記先端部から前記所定の位置以降の長さをＬ１と定めたときに、
前記先端部から前記所定の位置以降の長さは、下式（Ｉ）及び下式（II）に基づいて定められた、
ことを特徴とするグレーチングスクリーン。
Ｌｍａｘ＝Ｄｗ／Ｓｉｎ（θ２）  ……  式（Ｉ）
Ｌ１  ＞  Ｌｍａｘ  ……  式（II）
【請求項５】
請求項１乃至４の何れか１項に記載のグレーチングスクリーンにおいて、
前記取付部材は、前記グレーチングスクリーン本体の周縁部から前記グレーチングスクリーン本体の外側に向けて延長形成されたことを特徴とするグレーチングスクリーン。
【請求項６】
請求項１乃至５の何れか１項に記載のグレーチングスクリーンにおいて、
前記取付部材は、前記排水溝の傾斜角度または前記排水溝に対する前記グレーチングスクリーン本体の前記所定角度上向きの取付角度に対応して傾けられると共に、前記排水溝の両側から前記排水溝に水を流れ込ませる傾斜面の傾斜角度に対応して傾けられて、前記グレーチングスクリーン本体に装着されたことを特徴とするグレーチングスクリーン。
【請求項７】
請求項１乃至６の何れか１項に記載のグレーチングスクリーンを設置対象の排水溝に固定させるグレーチングスクリーンの取付方法であって、
前記排水溝の周辺近傍に設けられたコンクリートシールに装着部材を設ける工程と、
前記装着部材に前記グレーチングスクリーンの取付部材の取付部を合わせると共に、傾斜した前記排水溝の底面部に前記グレーチングスクリーンの先端部が接するように、前記排水溝に前記グレーチングスクリーンを備えさせる工程と、
前記装着部材に対応する他の装着部材を前記装着部材に装着させる工程と、
前記装着部材に前記他の装着部材を固定させる工程と、
を含むことを特徴とするグレーチングスクリーンの取付方法。
【発明の詳細な説明】
【技術分野】
【０００１】
本発明は、グレーチングスクリーンおよびグレーチングスクリーンの取付方法に関する。
【背景技術】
【０００２】
例えば、周囲の地盤よりも高い盛土の上に路面を配置した構成の高速道路等においては、路面上の降雨を円滑に排除する目的で、盛土の法面に沿って傾斜したたて排水溝を、走行方向に沿って所定の間隔で設置し、盛土の裾部分に並走して配置された一般道等の側溝に接続することが行われている。
【０００３】
また、盛土上の道路の安全を確保する等の目的から、盛土の裾部分には、走行方向に沿ってフェンスが設けられ、人や動物等の路面上への立入を制限している。
【０００４】
このような場合、法面に設置されるたて排水溝を通じて下方の側溝部分に塵芥が流入したり、逆に、下方の側溝側からたて排水溝の側に小動物等が侵入することが懸念され、この対策として、法面のたて排水溝にグレーチングを設置することが考えられる。
【０００５】
なお、一般の側溝等におけるグレーチングに関しては、特許文献１に開示された技術が知られている。
【０００６】
この特許文献１では、法面に設けられたたて排水溝を覆う矩形のグレーチングの下面に、排水溝断面を塞ぐように櫛歯状のスクリーンを排水流の方向にのみ可動に懸垂配置し、排水の流れ方向に移動する塵芥等は通過させ、逆方向における小動物の侵入は阻止されるようにしたものである。
【先行技術文献】
【特許文献】
【０００７】
【特許文献１】特開２０１１−８４９７３号公報
【発明の概要】
【発明が解決しようとする課題】
【０００８】
ところが、上述の特許文献１の場合には、矩形のグレーチングの他に別に可動構造のスクリーンが必要となり、可動部を含む全体の構造が複雑になり、煩雑な保守管理が必要となる懸念がある。
【０００９】
また、小動物の侵入防止効果は期待できるものの、たて排水溝から側溝側への塵芥の流入は自由であり、たて排水溝から流入する塵芥等に起因する側溝側の閉塞障害も懸念される。
【００１０】
このため、例えば、通常の矩形のグレーチングを、傾斜したたて排水溝内に底部まで水平に挿入して塵芥の流入防止と小動物の侵入防止機能を兼備させることが考えられる。
【００１１】
しかしながら、本発明者らの研究によれば、通常のグレーチングを単にたて排水溝に挿入する対策では、たて排水溝の底部に接する枠部材において激しい跳水が発生し、たて排水溝の周囲の盛土の洗掘等の障害が発生することが判明した。
【００１２】
また、激しい跳水にもかかわらず、当該跳水の飛散軌道の内側における飛散水流の死角となるグレーチング領域では、かえって落ち葉等の塵芥の集積が促進され、設置したグレーチング自体が塵芥によって閉塞されるため、定期的に塵芥の清掃除去等の煩雑な保守管理が必要となることも判明した。
【００１３】
本発明の目的は、跳水等の弊害を発生させることなく、かつ煩雑な清掃等の保守管理を必要とすることなく、塵芥の捕捉による水路の閉塞防止および小動物等の侵入防止を実現可能なグレーチングスクリーンおよびグレーチングスクリーンの取付方法を提供することにある。
【課題を解決するための手段】
【００１４】
本発明の第１の観点は、
所定間隔で並列に配列された複数の長尺部材と、
複数の前記長尺部材の配列方向に沿って延長形成されて複数の前記長尺部材を固定する固定部材と、
前記長尺部材と前記固定部材とを有するグレーチングスクリーン本体を排水溝に固定させる取付部材と、
を備え、
前記長尺部材は、法面に沿って傾斜した前記排水溝の底面部に接する先端部を有し、
前記固定部材は、前記先端部から所定の位置以降に設けられ、
前記グレーチングスクリーン本体が前記排水溝に固定される場合に、前記グレーチングスクリーン本体が水平または水平から所定角度上向きの角度となるように、前記取付部材は、傾けられて前記グレーチングスクリーン本体に設けられた、
グレーチングスクリーンを提供する。
【００１５】
本発明の第２の観点は、
前記グレーチングスクリーンを設置対象の排水溝に固定させるグレーチングスクリーンの取付方法であって、
前記排水溝の周辺近傍に設けられたコンクリートシールに装着部材を設ける工程と、
前記装着部材に前記グレーチングスクリーンの取付部材の取付部を合わせると共に、傾斜した前記排水溝の底面部に前記グレーチングスクリーンの先端部が接するように、前記排水溝に前記グレーチングスクリーンを備えさせる工程と、
前記装着部材に対応する他の装着部材を前記装着部材に装着させる工程と、
前記装着部材に前記他の装着部材を固定させる工程と、
を含むグレーチングスクリーンの取付方法を提供する。
【発明の効果】
【００１６】
本発明によれば、跳水等の弊害を発生させることなく、かつ煩雑な清掃等の保守管理を必要とすることなく、塵芥の捕捉による水路の閉塞防止および小動物等の侵入防止を実現可能なグレーチングスクリーンおよびグレーチングスクリーンの取付方法を提供することができる。
【図面の簡単な説明】
【００１７】
【図１】本発明の一実施の形態であるグレーチングスクリーンの構成の一例を示す平面図である。
【図２】本発明の一実施の形態であるグレーチングスクリーンの構成の一例を示す側面図である。
【図３】本発明の一実施の形態であるグレーチングスクリーンの構成の一例を示す正面図である。
【図４】本発明の一実施の形態であるグレーチングスクリーンの設置状態の一例を示す斜視図である。
【図５】本発明の一実施の形態であるグレーチングスクリーンの設置状態の一例を示す平面図である。
【図６】本発明の一実施の形態であるグレーチングスクリーンの設置状態の一例を示す説明図である。
【図７】本発明の一実施の形態であるグレーチングスクリーンが設置されるたて排水溝を備えた道路施設の構成例を模式的に例示した断面図である。
【発明を実施するための形態】
【００１８】
以下、図面を参照しながら、本発明の実施の形態について詳細に説明する。
【００１９】
図１は、本発明の一実施の形態であるグレーチングスクリーンの構成の一例を示す平面図である。
図２は、本発明の一実施の形態であるグレーチングスクリーンの構成の一例を示す側面図である。
図３は、本発明の一実施の形態であるグレーチングスクリーンの構成の一例を示す正面図である。
図４は、本発明の一実施の形態であるグレーチングスクリーンの設置状態の一例を示す斜視図である。
図５は、本発明の一実施の形態であるグレーチングスクリーンの設置状態の一例を示す平面図である。
図６は、本発明の一実施の形態であるグレーチングスクリーンの設置状態の一例を示す説明図である。
【００２０】
なお、以下の本実施の形態の説明では、各図において、グレーチングスクリーン１０の幅方向をＸ方向、厚さ方向をＺ方向、長手方向をＹ方向として説明する。
【００２１】
また、各種排水溝のうちの一種とされるたて排水溝１０５に対するグレーチングスクリーン１０の取付構造、取付方法および使用方法等を含めて、以下に本実施の形態のグレーチングスクリーン１０等について詳細に説明する。
【００２２】
図１、図５に例示されるように、本実施の形態のグレーチングスクリーン１０は、対向して配置された細長い板状の第１枠材とされる第１の側枠部材１１および第２枠材とされる第２の側枠部材１２と、第１および第２の側枠部材１１、１２の固定端を連結する第３枠材とされる端部枠１３とを備えて構成されている。
【００２３】
また、本実施の形態のグレーチングスクリーン１０は、第１および第２の側枠部材１１、１２の間に配列され長尺部材とされる細長い板状の縦桟部材１４と、端部が第１および第２の側枠部材１１、１２に装着され各縦桟部材１４を等間隔に固定する固定部材とされる細長い丸棒状の横桟部材１５と、第１および第２の側枠部材１１、１２に装着され取付部材とされる細長い板状の取付フィン１６とを備えて構成されている。
【００２４】
複数の縦桟部材１４は、所定間隔で並列に対向して配列されている。また、複数の横桟部材１５は、複数の縦桟部材１４の配列方向に沿って延長形成されて複数の縦桟部材１４を固定するものとされている。複数の横桟部材１５は、所定間隔で並列に配列されている。また、複数の取付フィン１６は、縦桟部材１４と横桟部材１５とを有するグレーチングスクリーン本体１０ａをたて排水溝１０５に固定させるものとされている。
【００２５】
複数の細長い板状の縦桟部材１４は、第１および第２の側枠部材１１、１２の間に所望のピッチＰ２で互いに平行に配列されるとともに端部枠１３に固定される固定端部および反対側の傾斜面部１４ｃが形成された自由端部１４ａを有し、配列方向（Ｘ方向）に対して主平面が直交するように配置されている。
【００２６】
複数の細長い丸棒状の横桟部材１５は、各々の両端が第１および第２の側枠部材１１、１２に支持されると共に、第１および第２の側枠部材１１、１２または複数の縦桟部材１４の長さ方向（Ｙ方向）に所望のピッチＰ１で配列され、複数の縦桟部材１４を配列方向（Ｘ方向）に連ねて固定している。
【００２７】
図１、図２、図３等に例示されるように、本実施の形態のグレーチングスクリーン１０は、細長い板状のフラットバー（例えば、板厚＝３ミリメートル、板幅＝１９ミリメートルの平鋼）等の素材で構成される複数の縦桟部材１４を、フラットバー等の広い平面部がＺ−Ｙ平面と平行になるように、所定の配列ピッチＰ２で幅方向（Ｘ方向）に配列し、これらの縦桟部材１４を、長さ方向（Ｙ方向）に所定の配列ピッチＰ１で配列された複数の丸棒鋼等からなる横桟部材１５でＸ方向に格子状に連ねて固定した構成となっている。
【００２８】
図１、図５に例示されるように、グレーチングスクリーン１０が平面視されたときに、格子状に配列された縦桟部材１４および横桟部材１５を取り囲むように、フラットバー等からなる、Ｙ方向の側枠部材１１および側枠部材１２、Ｘ方向の端部枠１３が設けられている。側枠部材１１、１２および端部枠１３は、例えばグレーチングスクリーン本体１０ａの周縁部１０ｂを構成する。
【００２９】
両側の側枠部材１１および側枠部材１２は、横桟部材１５の両端にそれぞれ固定され、端部枠１３は複数の縦桟部材１４の一端に固定され、さらに、側枠部材１１および側枠部材１２の一端は端部枠１３によって連結されている。
【００３０】
すなわち、本実施の形態の場合、固定端側とされる端部枠１３の反対側の辺には、端部枠は存在せず、縦桟部材１４の端部は端部枠によって拘束されない自由端部１４ａとなっている。
【００３１】
また、側枠部材１１、１２および縦桟部材１４は、法面１０１ａに沿って傾斜したたて排水溝１０５の底面部とされる底部平坦部１０５ｂに接することが可能な先端部１４ｂを有する構造とされている。
【００３２】
また、本実施の形態のグレーチングスクリーン１０の幅寸法は、端部枠１３の存在する縦桟部材１４の基端部１４ｆ側（基端幅Ｗ１）から先端部１４ｂ（先端幅Ｗ３＜Ｗ１）の方向に漸減する形状とされ、側枠部材１１および側枠部材１２は、先端部１４ｂに向かう方向に先細りとなるように互いに中心軸（Ｙ方向）に対してＸ−Ｙ平面内で軸対称に傾斜している。
【００３３】
すなわち、本実施の形態のグレーチングスクリーン１０は、グレーチングスクリーン本体１０ａが平面視されたときに、端部枠１３を底辺、側枠部材１１、側枠部材１２を斜辺とする等脚台形の輪郭形状を呈する。
【００３４】
このため、側枠部材１１および側枠部材１２が両端に固定される横桟部材１５の長さは、端部枠１３から先端部１４ｂに向かう方向に漸減しているとともに、複数の縦桟部材１４のうち、幅方向の両端部側の幾本かの縦桟部材１４（この場合、一例として両端の２本）は、側枠部材１１および側枠部材１２の傾斜の邪魔にならないように、中央部の縦桟部材１４（全長Ｌ０）よりも長さが短く設定されている。
【００３５】
複数の縦桟部材１４の自由端部１４ａの側の配列幅とされる先端幅Ｗ３は、たて排水溝１０５の底面部の一部とされる両端の底部角曲面部１０５ａを除く底部平坦部１０５ｂの平坦幅Ｗ４０に設定されている。
【００３６】
第１および第２の側枠部材１１、１２は、たて排水溝１０５の上部側の開口部１０５ｃの両側面部１０５ｄに近接する開口幅Ｗ４１から平坦幅Ｗ４０まで対向間隔が漸減するように、対向方向に傾斜されている。
【００３７】
本実施の形態のグレーチングスクリーン１０の全体の表面には、必要に応じて、溶融亜鉛メッキ仕上げ等の防錆加工を施すことができる。
【００３８】
本実施の形態のグレーチングスクリーン１０の上述の各部の寸法（単位：ミリメートル）は、一例として以下の通りである。
【００３９】
すなわち、全長Ｌ０＝８００、基端幅Ｗ１＝２５０、横桟部材１５の配列ピッチＰ１＝５０、縦桟部材１４の配列ピッチＰ２＝３０、である。
【００４０】
なお、後述のように、嵌合幅Ｗ２と先端幅Ｗ３は、一例として後述のように設置対象のたて排水溝１０５の各部の寸法に応じて決定され、基端幅Ｗ１＞嵌合幅Ｗ２＞先端幅Ｗ３の関係である。
【００４１】
さらに、本実施の形態のグレーチングスクリーン１０の場合、縦桟部材１４の自由端部１４ａにおいては横桟部材１５の配置が省略されている。
【００４２】
すなわち、縦桟部材１４の先端部１４ｂから端部枠１３の方向に向かって最初に存在する横桟部材１５までの横桟部材省略長Ｌ１が、自由端部１４ａの長さとなっている。
【００４３】
本実施の形態のグレーチングスクリーン１０の場合、縦桟部材１４の自由端部１４ａにおける横桟部材省略長Ｌ１は、後述のようにして決定される。
【００４４】
グレーチングスクリーン１０を構成するグレーチングスクリーン本体１０ａに、縦桟部材１４の先端部１４ｂを横桟部材１５で固定させずに縦桟部材１４の先端部１４ｂから最初の横桟部材１５までの縦桟部材１４の長尺方向長さ（横桟部材省略長Ｌ１）をたて排水溝１０５内の水の流れを阻害しない範囲程度の長さ（最大浸漬長Ｌｍａｘ）以上に設定させた自由端部１４ａが形成されている。
【００４５】
グレーチングスクリーン本体１０ａが側面視されたときに、先端部１４ｂは鋭角に形成されている。グレーチングスクリーン本体１０ａがたて排水溝１０５に固定される場合に、先端部１４ｂの下側に、傾斜したたて排水溝１０５の底面部を構成する底部平坦部１０５ｂに接することが可能とされた傾斜面部１４ｃが設けられている。
【００４６】
詳しく説明すると、側枠部材１１、側枠部材１２および縦桟部材１４の先端部１４ｂは、グレーチングスクリーン１０を構成するグレーチングスクリーン本体１０ａが平面視されたときの平面とされるＸ−Ｙ平面に対し、グレーチングスクリーン１０が側面視された状態を示す図２、図６に例示されるように、グレーチングスクリーン１０の先端部１４ｂの角度とされるグレーチング先端角度θ１で傾斜する傾斜面部１４ｃを構成するように、斜めに切り落とされている。
【００４７】
所望の法面１０１ａに略（ほぼ）沿って傾斜して設けられたたて排水溝１０５の底面部を構成する底部平坦部１０５ｂに対して、側枠部材１１、１２および縦桟部材１４の自由端部１４ａの傾斜面部１４ｃが接するように、グレーチングスクリーン１０の鋭角の先端部１４ｂを構成する傾斜面部１４ｃの角度θ１が設定されている。
【００４８】
さらに、側枠部材１１および側枠部材１２において端部枠１３に相対的に近い位置（嵌合幅Ｗ２の部位）には、一対の取付フィン１６が設けられている。
【００４９】
図６に例示されるように、グレーチングスクリーン１０を構成するグレーチングスクリーン本体１０ａの端部枠１３の周辺近傍にて、たて排水溝１０５の上部の開口部１０５ｃを塞ぐたて排水溝蓋１０８の上に、グレーチングスクリーン本体１０ａが載置される場合もある。
【００５０】
このようなことから、一対の取付フィン１６は、グレーチングスクリーン本体１０ａの端部枠１３よりも先端部１４ｂよりに設けられて、たて排水溝１０５の流水方向に沿ったその両側のコンクリートシール１０１ｂ上に取付フィン１６が無理なく合わせられるように、グレーチングスクリーン本体１０ａの周縁部１０ｂから突出形成されている。
【００５１】
このようにすることで、たて排水溝１０５の流水方向に沿ったその両側のコンクリートシール１０１ｂに設けられている一対の取付ボルト１７に、一対の取付フィン１６の取付部とされる取付孔部１６ａが容易に合わせられる。
【００５２】
なお、たて排水溝蓋１０８の幅は、たて排水溝１０５の上部の開口部１０５ｃの開口幅Ｗ４１よりも広い幅寸法に設定されていること等から、一対の取付フィン１６が備えられるグレーチングスクリーン本体１０ａの幅は、基端幅Ｗ１＞嵌合幅Ｗ２＞先端幅Ｗ３の関係にあることが好ましい。
【００５３】
取付フィン１６は、第１および第２の側枠部材１１、１２および端部枠１３ならびに縦桟部材１４および横桟部材１５を含むグレーチングスクリーン本体１０ａをたて排水溝１０５に確実に固定するために、グレーチングスクリーン１０に設けられている。
【００５４】
取付フィン１６は、グレーチングスクリーン本体１０ａの周縁部１０ｂからグレーチングスクリーン本体１０ａの外側に向けて延長形成された板材として形成されている。
【００５５】
グレーチングスクリーン本体１０ａがたて排水溝１０５に固定される場合に、グレーチングスクリーン本体１０ａが平面視されたときの平面とされるＸ−Ｙ平面に対し、水平または水平から先端部１４ｂまたは先端部１４ｂの反対側とされる後端側の基端部１４ｆが所定角度上向きの角度となるように、取付フィン１６は、傾けられてグレーチングスクリーン本体１０ａに設けられている。
【００５６】
詳しく説明すると、この取付フィン１６は、図２に例示されるように、Ｘ−Ｙ平面に対して取付フィン傾斜角度θ３をなすように傾斜して配置されている。
【００５７】
この取付フィン傾斜角度θ３は、上述のグレーチング先端角度θ１よりも大きく（取付フィン傾斜角度θ３＞グレーチング先端角度θ１）設定されている。
【００５８】
第１および第２の側枠部材１１、１２の外側面に、グレーチングスクリーン本体１０ａをたて排水溝１０５の開口部１０５ｃの上面に固定するための一対の取付フィン１６が、第１および第２の側枠部材１１、１２および端部枠１３ならびに縦桟部材１４および横桟部材１５を含むグレーチングスクリーン本体１０ａのＸ−Ｙ平面に対して、たて排水溝１０５の傾斜角度θ２と略等しい傾斜角度θ１で傾斜形成されている。
【００５９】
また、取付フィン１６は、たて排水溝１０５の傾斜角度とされるたて排水溝傾斜角度θ２に対応して傾けられて、グレーチングスクリーン本体１０ａに溶接加工にて装着されている。
【００６０】
このような構成の本実施の形態のグレーチングスクリーン１０は、図４、図５、図６等に例示されるように、後述の傾斜した法面１０１ａ等に配置されるたて排水溝１０５（たて排水溝傾斜角度θ２）に対して例えば略水平方向に挿入して設置され、法面１０１ａ等を構成するコンクリートシール１０１ｂに装備された例えば止具とされる取付ボルト１７を介して取付フィン１６を装備させたのちに、例えば他の止具とされる取付ナット１８等で固定することで設置される。すなわち、図６のＺ方向は鉛直方向となる。
【００６１】
図４に例示されるように、例えば、コンクリート等で構成されるたて排水溝１０５は、上端開口部の幅寸法が排水溝開口幅Ｗ４１の略矩形断面を呈し、底部の両端には、角部の強度向上や型成形における成形性向上等の目的で丸み部等の底部角曲面部１０５ａが設けられる。
【００６２】
このため、たて排水溝１０５の底部中央の底部平坦部１０５ｂの幅寸法（排水溝底部平坦幅Ｗ４０）は、排水溝開口幅Ｗ４１よりも小さくなる。
【００６３】
このため、上述のように、本実施の形態のグレーチングスクリーン１０は、グレーチングスクリーン本体１０ａが平面視されたときに、先細りの等脚台形に設定され、先端部１４ｂの先端幅Ｗ３が排水溝底部平坦幅Ｗ４０に合致するように設定され、嵌合幅Ｗ２が、排水溝開口幅Ｗ４１に合致するように設定されている。
【００６４】
これにより、底部角曲面部１０５ａに干渉することなく、図６に例示されるように、グレーチングスクリーン１０の自由端部１４ａの傾斜面部１４ｃを、たて排水溝１０５の底部平坦部１０５ｂに当接させることが可能となっている。
【００６５】
すなわち、本実施の形態の場合、自由端部１４ａにおける先端部１４ｂの傾斜面部１４ｃのグレーチング先端角度θ１は、たて排水溝傾斜角度θ２（すなわち、法面１０１ａの傾斜角度）に一致するように設定されている。
【００６６】
図６に例示されるように、たて排水溝傾斜角度θ２で傾斜するたて排水溝１０５に対してグレーチングスクリーン１０を略水平に挿入して設置する場合、グレーチング先端角度θ１とたて排水溝傾斜角度θ２は錯角の関係で等しくなる。そして、本実施の形態のグレーチングスクリーン１０のように、両者を等しくすることで、グレーチングスクリーン１０の自由端部１４ａの傾斜面部１４ｃを、たて排水溝１０５の底部平坦部１０５ｂに当接させることができる。
【００６７】
このように、グレーチングスクリーン本体１０ａをたて排水溝１０５に略水平に挿入させて設置する場合に、縦桟部材１４の自由端部１４ａの傾斜面部１４ｃの傾斜角度とされるグレーチング先端角度θ１は、法面１０１ａに略沿って傾斜するたて排水溝１０５の傾斜角度とされるたて排水溝傾斜角度θ２と略等しく設定させる。
【００６８】
また、本実施の形態では、上述の図２に例示したように取付フィン１６の取付フィン傾斜角度θ３を傾斜面部１４ｃのグレーチング先端角度θ１（すなわち、たて排水溝傾斜角度θ２）よりも大きくしている。
【００６９】
これにより、図６において、取付フィン１６を取付ボルト１７で法面１０１ａに押接させるように締結する場合、反時計回りのトルクがグレーチングスクリーン１０に作用し、先端部１４ｂの傾斜面部１４ｃは、たて排水溝１０５の底部平坦部１０５ｂに接するように押圧されて固定される。
【００７０】
このようにすることで、グレーチングスクリーン本体１０ａがたて排水溝１０５に固定される場合に、少なくとも先端部１４ｂの傾斜面部１４ｃの鋭角側および先端側上側が、傾斜したたて排水溝１０５の底面部を構成する底部平坦部１０５ｂに接する。
【００７１】
図７は、本実施の形態のグレーチングスクリーン１０が設置されるたて排水溝１０５を備えた道路施設１００の構成例を模式的に例示した断面図である。
【００７２】
この例の道路施設１００では、盛土１０１の平坦な頂上面に高速道路等の道路面１０２が設けられ、その側端部には、走行方向に沿ってガードレール１０３および本道側溝１０４が設けられている。
【００７３】
さらに、盛土１０１の法面１０１ａには、上端部が本道側溝１０４に接続されたたて排水溝１０５が、道路面１０２の走行方向に所望のピッチで設けられている。
【００７４】
たて排水溝１０５の下端部は、例えば、盛土１０１の基端縁に沿って設けられた側道１０７の側道側溝１０６に接続されている。これにより、道路面１０２における降雨等によって生じる排水１２０は、本道側溝１０４からたて排水溝１０５に沿って流下して側道側溝１０６に至り、側道側溝１０６から近隣の河川等に排出される。
【００７５】
ここで、流水方向について説明すると、流水方向は、図５に例示されるように、グレーチングスクリーン１０のグレーチングスクリーン本体１０ａが平面視されたときに、例えば平面視されたグレーチングスクリーン１０のグレーチングスクリーン本体１０ａの先端部１４ｂ側から基端部１４ｆ側にかけた方向であって、図７に例示されるように、グレーチングスクリーン１０のグレーチングスクリーン本体１０ａが装備された状態のたて排水溝１０５が縦断面視されたときに、例えば本道側溝１０４側とされる斜め上側から側道側溝１０６側とされる斜め下側にかけた方向とされる。
【００７６】
高速道路等の道路面１０２は、安全対策等のために、人間や動物等が侵入しないように、フェンス１０９等を設置して、側道１０７の側から隔離されている。
【００７７】
同様の目的で、側道１０７の側道側溝１０６およびフェンス１０９の内側近傍におけるたて排水溝１０５の側道側溝１０６に対する接続部は、たて排水溝蓋１０８で隠蔽されている。
【００７８】
そして、図７に例示されるように、本実施の形態のグレーチングスクリーン１０は、フェンス１０９の内側において、たて排水溝蓋１０８で隠蔽されたたて排水溝１０５の開口部１０５ｃを塞ぐように設置される。設置態様は、上述の図４〜図６に例示したとおりである。
【００７９】
これにより、グレーチングスクリーン１０の設置によって、側道側溝１０６からたて排水溝１０５を伝って小動物１４０等が道路面１０２側に侵入することを防止するとともに、後述のように、排水１２０とともに流下して到来する塵芥１３０を効果的に捕捉除去する。
【００８０】
ここで、本実施の形態のグレーチングスクリーン１０における自由端部１４ａの横桟部材省略長Ｌ１の決定方法の一例について説明する。
【００８１】
高速道路（道路面１０２）等では、その通過地域で予想される最大降雨量Ｍ（ミリメートル／時）に応じて、走行方向におけるたて排水溝１０５の配列ピッチＰｄ（メートル）が設定される。
【００８２】
そして、道路面１０２の両側にたて排水溝１０５が等間隔に配置されるものとすると、この配列ピッチＰｄと道路面１０２の幅員Ｗｒ（メートル）から個々のたて排水溝１０５の負担面積Ｓ（平方メートル）が、
Ｓ＝Ｐｄ×（Ｗｒ／２）  ……式（１）
として決定され、個々のたて排水溝１０５における単位時間当たりの排水量Ｑ（立方メートル／時）が、
Ｑ＝Ｓ×Ｍ／１０００    ……式（２）
として決定される。
【００８３】
この排水量Ｑと、たて排水溝１０５の排水溝開口幅Ｗ４１（メートル）（底部角曲面部１０５ａは説明の便宜上無視して矩形断面と仮定）から、たて排水溝１０５における排水１２０の推定水深たとえば推定最大水深Ｄｗ（メートル）が次のように求まる。
【００８４】
すなわち、たて排水溝１０５を流下する排水１２０の流速をＶ（メートル／時）とすると、
Ｑ＝Ｄｗ×Ｗ４１×Ｖ    ……式（３）
なので、
Ｄｗ＝Ｑ／（Ｗ４１×Ｖ）    ……式（４）
にて定まる。
【００８５】
そして、本実施の形態のグレーチングスクリーン１０では、この推定最大水深Ｄｗにおいても、縦桟部材１４の自由端部１４ａに最も近い横桟部材１５が、排水１２０に浸漬されないように、横桟部材省略長Ｌ１が決定される。
【００８６】
図６に例示されるように、推定最大水深Ｄｗのときの縦桟部材１４の自由端部１４ａの側の浸漬長たとえば最大浸漬長Ｌｍａｘ（メートル）は、たて排水溝傾斜角度θ２（＝グレーチング先端角度θ１）＜９０度、を考慮すると、
Ｄｗ＝Ｌｍａｘ×Ｓｉｎ（θ２）……式（５）
であり、この（５）式から、
Ｌｍａｘ＝Ｄｗ／Ｓｉｎ（θ２）……式（６）
となる。
【００８７】
従って、本実施の形態のグレーチングスクリーン１０では、
Ｌ１  ＞  Ｌｍａｘ  ……式（７）
となるように、排水１２０に浸漬される自由端部１４ａにおける横桟部材省略長Ｌ１（メートル）を決定する。
【００８８】
このように、たて排水溝１０５の傾斜角度をθ２と定め、たて排水溝１０５における推定最大水深をＤｗと定め、先端部１４ｂから所定の位置までの長さとされる最大浸漬長をＬｍａｘと定め、先端部１４ｂから所定の位置以降の長さ、具体的には、先端部１４ｂから所定の位置よりも後方の位置までの長さとされる横桟部材省略長をＬ１と定めたときに、先端部１４ｂから所定の位置以降の長さ、具体的には、先端部１４ｂから所定の位置よりも後方の位置までの長さ（横桟部材省略長Ｌ１）は、上に記載の式（６）及び式（７）に基づいて定められる。
【００８９】
これにより、推定最大水深Ｄｗにおいても、自由端部１４ａに最も近い横桟部材１５が排水１２０に浸漬されない状態となり、横桟部材１５が存在しない自由端部１４ａのみが排水１２０に浸漬される状態に維持することができる。
【００９０】
また、推定最大水深Ｄｗは、地域や道路の設計ランク等で様々と思われるので、必要に応じて、それらの中の最大の推定最大水深Ｄｗを包含するように、横桟部材省略長Ｌ１を、余裕をもって長めに設定することで、本実施の形態のグレーチングスクリーン１０に汎用性を持たせることができる。
【００９１】
すなわち、横桟部材省略長Ｌ１は、縦桟部材１４における自由端部１４ａの形状維持強度等を損なわない範囲で長めに設定してよい。
【００９２】
このように、横桟部材１５は、側枠部材１１、１２および縦桟部材１４の先端部１４ｂから所定の位置（先端部１４ｂから最大浸漬長Ｌｍａｘほど後側の位置）以降に、具体的には、側枠部材１１、１２および縦桟部材１４の先端部１４ｂから所定の位置（先端部１４ｂから最大浸漬長Ｌｍａｘほど後側の位置）よりも後方の位置（先端部１４ｂから横桟部材省略長Ｌ１ほど後側の位置）とされる基端部１４ｆ側に設けられる。
【００９３】
具体的に説明すると、複数の縦桟部材１４の自由端部１４ａの先端部１４ｂから最初の横桟部材１５までの自由端部１４ａの長さ（Ｌ１）は、設置対象のたて排水溝１０５を流れる排水１２０の水深（Ｄｗ）よりも長く設定されている。
【００９４】
次に、法面１０１ａに沿って傾斜したたて排水溝１０５を流れる水によって運ばれる一部の塵芥を捕捉すると共に、たて排水溝１０５への犬、猫、狐、狸等の小動物１４０の侵入を防止するためのグレーチングスクリーン１０を設置対象のたて排水溝１０５に装着させたのちに固定させるグレーチングスクリーン１０の取付方法、使用方法等について説明する。
【００９５】
例えば、複数の縦桟部材１４の自由端部１４ａの先端部１４ｂから最初の横桟部材１５までの自由端部１４ａの長さ（Ｌ１）が、設置対象のたて排水溝１０５を流れる排水１２０の水深（Ｄｗ）よりも長く設定されたグレーチングスクリーン１０を、法面１０１ａに略沿って傾斜して設けられたたて排水溝１０５の底面部とされる底部平坦部１０５ｂに対し、側枠部材１１、１２および縦桟部材１４の自由端部１４ａの傾斜面部１４ｃが接するように、たて排水溝１０５に略水平または傾斜させて挿入させて設置する工程を実行させる。
【００９６】
具体的に説明すると、先ず、法面１０１ａを構成するたて排水溝１０５の両側の周辺近傍に設けられた法面１０１ａを構成するコンクリートシール１０１ｂに、例えば一対の装着補助部材用穴とされるアンカーボルト用穴を穿設させると共に一対のアンカーボルト用穴に一対の第１の装着部材とされるアンカーボルト（不図示）を装着させる工程を実行させる。
【００９７】
次に、コンクリートシール１０１ｂに装着された一対のアンカーボルトに、一対の第２の装着部材とされる一対の取付ボルト１７を設ける工程を実行させる。ここでは第２の装着部材として例えば第２の螺合部材とされる取付ボルト１７を例に挙げて説明する。
【００９８】
次に、法面１０１ａを構成するコンクリートシール１０１ｂに設けられた一対の取付ボルト１７に、グレーチングスクリーン１０の取付位置の調整を可能とさせたグレーチングスクリーン１０の一対の取付フィン１６の長孔形状取付部とされる取付孔部１６ａを合わせると共に、傾斜したたて排水溝１０５の底面部を構成する底部平坦部１０５ｂにグレーチングスクリーン１０の先端部１４ｂの傾斜面部１４ｃが接するように、たて排水溝１０５にグレーチングスクリーン１０を略水平または傾斜させて備えさせる工程を実行させる。
【００９９】
次に、グレーチングスクリーン１０の一対の取付フィン１６の長孔状取付孔部１６ａから突出した一対の取付ボルト１７に、一対の第３の装着部材とされる取付ワッシャ１９を合わせる工程を実行させる。
【０１００】
次に、一対の第４の装着部材とされる一対の取付ナット１８について説明する。ここでは第４の装着部材として例えば第４の螺合部材とされる取付ナット１８を例に挙げて説明する。一対の取付ボルト１７に対応する一対の取付ナット１８を一対の取付ボルト１７に装着させて螺合させる工程を実行させる。
【０１０１】
その後、一対の取付ボルト１７に対して一対の取付ナット１８を確実に締め付ける等して締結、固定させる工程を実行させる。
【０１０２】
このようにすることで、傾斜したたて排水溝１０５の底面部を構成する底部平坦部１０５ｂに、グレーチングスクリーン１０の先端部１４ｂの傾斜面部１４ｃが確実に接すると共に、たて排水溝傾斜角度θ２およびコンクリートシール傾斜角度θ４に傾けられた一対の傾斜面１０１ｃに、グレーチングスクリーン１０の一対の取付フィン１６が合わせられる。
【０１０３】
グレーチングスクリーン１０の取付フィン１６は、取付ボルト１７に対する取付ナット１８の締付けにより、法面１０１ａを構成するコンクリートシール１０１ｂの傾斜面１０１ｃと取付ワッシャ１９との間で確実に固定され、グレーチングスクリーン１０は、たて排水溝１０５およびたて排水溝１０５の流水方向に沿ってその両側に設けられたコンクリートシール１０１ｂに確実に装着される。
【０１０４】
以下、本実施の形態のグレーチングスクリーン１０の作用の一例を説明する。
【０１０５】
図７等に例示されるように、本実施の形態のグレーチングスクリーン１０が設置された道路施設１００において、道路面１０２に降る雨等は本道側溝１０４に流れ込み、排水１２０となってたて排水溝１０５を流下し、本実施の形態のグレーチングスクリーン１０を通過して側道側溝１０６に移動する。
【０１０６】
このとき、排水１２０が通過する本実施の形態のグレーチングスクリーン１０においては、上述のように横桟部材省略長Ｌ１が設定されているため、排水１２０には縦桟部材１４の自由端部１４ａが浸漬されるのみであり、横桟部材１５や端部枠のような、当該排水１２０をたて排水溝１０５の幅方向にせき止めるような部材は存在しない。
【０１０７】
このため、本実施の形態のグレーチングスクリーン１０では、排水１２０をたて排水溝１０５の幅方向にせき止めるような部材が存在することに起因する跳水現象は発生しない。これにより、たて排水溝１０５の周囲の法面１０１ａの洗掘等の障害が発生することを軽減できる。
【０１０８】
しかも、本実施の形態のグレーチングスクリーン１０では、縦桟部材１４の自由端部１４ａは排水１２０に浸漬され、先端部１４ｂはたて排水溝１０５の底部平坦部１０５ｂに接しているので、排水１２０に随伴されて流下する落葉等の塵芥１３０は自由端部１４ａで排水１２０から捕捉され、グレーチングスクリーン１０の上に回収され、排水１２０の通過を阻害しないように、自由端部１４ａから端部枠１３に向かう略水平方向（略Ｙ方向）に順次移動する。
【０１０９】
すなわち、縦桟部材１４はフラットバー等の偏平な部材で構成されているとともに先端部１４ｂが底部平坦部１０５ｂに接しているため、その幅の狭いエッジ部１４ｅが排水１２０を切るように排水１２０が通過することで跳水は発生しないが、狭いエッジ部１４ｅに沿って排水１２０の一部が、縦桟部材１４の長さ方向（略水平方向）に沿った適度な流れを形成し、このエッジ部１４ｅに沿った流れの適度な動圧によって、自由端部１４ａに捕捉された塵芥１３０は、図７のように自由端部１４ａから端部枠１３に向かう略水平方向（この場合、略Ｙ方向）に順次移動して集積され、排水１２０の流れを阻害することが防止される。
【０１１０】
また、縦桟部材１４の上側のエッジ部１４ｅを伝って略水平方向に移動する一部の排水１２０の流れは、上述のように動圧で塵芥１３０を移動させることでエネルギを消失した後は下方のたて排水溝１０５の中に流れ落ちる。
【０１１１】
これにより、たとえば長期間放置しても、グレーチングスクリーン１０における排水１２０が通過する自由端部１４ａの部分が塵芥１３０によって閉塞されることが防止されるので、保守管理業務を簡略化することができる。
【０１１２】
また、グレーチングスクリーン１０の清掃保守等に際しては、塵芥１３０は跳水現象等で周囲に飛散することなく、グレーチングスクリーン１０の端部枠１３の側に順次移動して集積されているので、集積された塵芥１３０を回収するだけの簡単な作業で済むため、清掃保守の頻度や作業負担を大幅に軽減できる。
【０１１３】
さらに、本実施の形態のグレーチングスクリーン１０は、機械的な可動部を含まない構造なので、グレーチングスクリーン１０自体を安価に製造できるとともに、可動部の保守管理は全く不要である。
【０１１４】
以上説明したように、本実施の形態によれば、跳水等の弊害を発生させることなく、かつ煩雑な清掃等の保守管理を必要とすることなく、塵芥１３０の捕捉による水路の閉塞防止および小動物１４０等の侵入防止を実現可能なグレーチングスクリーン１０、グレーチングスクリーン１０の取付方法、使用方法、取付構造等を提供することができる。
【０１１５】
なお、本発明は、上述の実施の形態に例示した構成に限らず、その趣旨を逸脱しない範囲で種々変更可能であることは言うまでもない。
【０１１６】
例えば側枠部材１１に代えて一端側にも縦桟部材１４が用いられ、側枠部材１２に代えて他端側にも縦桟部材１４が用いられ、一端側の縦桟部材１４と、他端側の縦桟部材１４との間に、数本の縦桟部材１４が所定の間隔で対向して配列されたグレーチングスクリーンが使用されてもよい。
【０１１７】
そのようなグレーチングスクリーン１０がたて排水溝１０５に装備されるときに、たて排水溝１０５の底部角曲面部１０５ａに、一端側の縦桟部材１４と他端側の縦桟部材１４とが干渉することを回避させるために、一端側の縦桟部材１４と他端側の縦桟部材１４とは、これらの間に所定の間隔で対向して配列された数本の縦桟部材１４よりも先端部１４ｂが短く設定されてもよい。
【０１１８】
また、例えば自由端部１４ａが略丸棒状の線材で構成され、各縦桟部材１４および各横桟部材１５が交差して構成される例えば略網目構造部が板材で形成されてもよい。
【０１１９】
また、例えば設置対象のたて排水溝の構造等に対応して、基端幅Ｗ１＝嵌合幅Ｗ２＝先端幅Ｗ３の関係もしくは基端幅Ｗ１≒嵌合幅Ｗ２≒先端幅Ｗ３の関係にあるグレーチングスクリーンが構成されてもよい。
【０１２０】
また、例えば設置対象のたて排水溝の構造等に対応して、基端幅Ｗ１＞嵌合幅Ｗ２＝先端幅Ｗ３の関係もしくは基端幅Ｗ１＞嵌合幅Ｗ２≒先端幅Ｗ３の関係にあるグレーチングスクリーンが構成されてもよい。
【０１２１】
また、例えば設置対象のたて排水溝の構造等に対応して、基端幅Ｗ１＜嵌合幅Ｗ２＝先端幅Ｗ３の関係もしくは基端幅Ｗ１＜嵌合幅Ｗ２≒先端幅Ｗ３の関係にあるグレーチングスクリーンが構成されてもよい。
【０１２２】
また、例えば設置対象のたて排水溝の構造等に対応して、基端幅Ｗ１＜嵌合幅Ｗ２＞先端幅Ｗ３の関係にあり且つ基端幅Ｗ１＝先端幅Ｗ３もしくは基端幅Ｗ１≒先端幅Ｗ３の関係にあるグレーチングスクリーンが構成されてもよい。
【０１２３】
また、例えば設置対象のたて排水溝の構造等に対応して、基端幅Ｗ１＜嵌合幅Ｗ２＞先端幅Ｗ３の関係にあり且つ基端幅Ｗ１＞先端幅Ｗ３の関係にあるグレーチングスクリーンが構成されてもよい。
【０１２４】
また、例えば設置対象のたて排水溝の構造等に対応して、基端幅Ｗ１＜嵌合幅Ｗ２＞先端幅Ｗ３の関係にあり且つ基端幅Ｗ１＜先端幅Ｗ３の関係にあるグレーチングスクリーンが構成されてもよい。
【０１２５】
また、例えば設置対象のたて排水溝の構造等に対応して、基端幅Ｗ１＞嵌合幅Ｗ２＜先端幅Ｗ３の関係にあり且つ基端幅Ｗ１＝先端幅Ｗ３もしくは基端幅Ｗ１≒先端幅Ｗ３の関係にあるグレーチングスクリーンが構成されてもよい。
【０１２６】
また、例えば設置対象のたて排水溝の構造等に対応して、基端幅Ｗ１＞嵌合幅Ｗ２＜先端幅Ｗ３の関係にあり且つ基端幅Ｗ１＞先端幅Ｗ３の関係にあるグレーチングスクリーンが構成されてもよい。
【０１２７】
また、例えば設置対象のたて排水溝の構造等に対応して、基端幅Ｗ１＞嵌合幅Ｗ２＜先端幅Ｗ３の関係にあり且つ基端幅Ｗ１＜先端幅Ｗ３の関係にあるグレーチングスクリーンが構成されてもよい。
【０１２８】
また、例えば設置対象のたて排水溝の構造等に対応して、基端幅Ｗ１＜嵌合幅Ｗ２＜先端幅Ｗ３の関係にあるグレーチングスクリーンが構成されてもよい。
【０１２９】
また、図１、図５に例示される端部枠１３の周辺近傍に設けられた一対の取付フィン１６が、例えば端部枠１３側に接するようにグレーチングスクリーン１０のより固定端側に設けられてもよい。
【０１３０】
また、一個または一対の取付フィン１６が、例えば端部枠１３からグレーチングスクリーン本体１０ａの周縁部１０ｂの外側方向（Ｙ方向）に略沿って延長形成されてもよい。
【０１３１】
この場合、図１〜図６に例示されるグレーチングスクリーン１０に設けられた一対の取付フィン１６に代えて、端部枠１３からグレーチングスクリーン本体１０ａの周縁部１０ｂの外側方向（Ｙ方向）に略沿って延長形成された一個または一対の取付フィン１６が設けられてもよい。
【０１３２】
また、図１〜図６に例示される一対の取付フィン１６を有するグレーチングスクリーン１０に、端部枠１３からグレーチングスクリーン本体１０ａの周縁部１０ｂの外側方向（Ｙ方向）に略沿って延長形成された一個または一対の取付フィン１６がさらに設けられてもよい。
【０１３３】
また、例えば、グレーチングスクリーン１０の素材としては、フラットバー等の鋼材に限らず、アルミニウム等の他の金属や、成形樹脂等で構成されていてもよい。
【符号の説明】
【０１３４】
１０  グレーチングスクリーン
１０ａ  グレーチングスクリーン本体
１０ｂ  周縁部
１１  側枠部材
１２  側枠部材
１３  端部枠
１４  縦桟部材
１４ａ  自由端部
１４ｂ  先端部
１４ｃ  傾斜面部
１４ｅ  エッジ部
１４ｆ  基端部
１５  横桟部材
１６  取付フィン
１６ａ  取付孔部
１７  取付ボルト
１８  取付ナット
１９  取付ワッシャ
１００  道路施設
１０１  盛土
１０１ａ  法面
１０１ｂ  コンクリートシール
１０１ｃ  傾斜面
１０２  道路面
１０３  ガードレール
１０４  本道側溝
１０５  たて排水溝
１０５ａ  底部角曲面部
１０５ｂ  底部平坦部
１０５ｃ  開口部
１０５ｄ  側面部
１０６  側道側溝
１０７  側道
１０８  たて排水溝蓋
１０９  フェンス
１２０  排水
１３０  塵芥
１４０  小動物
Ｄｗ  推定最大水深
Ｌ１  横桟部材省略長
Ｗ１  基端幅
Ｗ２  嵌合幅
Ｗ３  先端幅
Ｗ４０  排水溝底部平坦幅
Ｗ４１  排水溝開口幅
θ１  グレーチング先端角度
θ２  たて排水溝傾斜角度
θ３  取付フィン傾斜角度
θ４  コンクリートシール傾斜角度
【図１】
2014190130.tif 000003
【図２】
2014190130.tif 000004
【図３】
2014190130.tif 000005
【図４】
2014190130.tif 000006
【図５】
2014190130.tif 000007
【図６】
2014190130.tif 000008
【図７】
2014190130.tif 000009